(57)【要約】【課題】土砂やヒゲ根などが排出筒部７０Ｒ内に滞積するのを効果的に阻止する。また調製処理された球状部を機体の一側にのみ円滑に排出させる。【解決手段】調製処理された球状部が重力作用により排出シュータ７０の受入部７０Ａ、排出経路択一機構及び、該排出経路択一機構で択一された排出筒部７０Ｌ、７０Ｒをこの順に通過して機体下部の左右各側のうち任意に選択された一側へ排出するものとなされた球状作物調製機において、前記排出シュータ７０から前記排出経路切換機構部を取り外すと共に、前記排出シュータ７０の内方に、前記受入部７０Ａに受け入れた前記球状部や土砂などを左右一側の排出筒部７０Ｒ内へ移動させ続いて該排出筒部７０Ｒ内の底面ｇの後端縁ｇ１から或いは前後各端縁から巾方向中央へ移動させるものとした付加案内体８０を装着した構成となす。【選択図】        図１２
2004322217.tif 000002
【特許請求の範囲】
【請求項１】
順次に投入される球状作物からその茎葉部先側部分及び又はヒゲ根を切り離すように調製処理し、続いてその球状部を重力作用により排出シュータの受入部、排出経路択一機構個所及び、排出経路択一機構で択一された排出筒部をこの順に通過させて機体下部の左右各側のうち前記排出経路択一機構で任意に選択された一側へ排出させるものとなされた球状作物調製機において、前記排出シュータから前記排出経路切換機構を取り外すと共に、前記排出シュータの内方に、前記受入部内に前方から落下した前記球状部を特定の一側の排出筒部内へ移動させ続いて該排出筒部内の底面の後端縁から或いは前後各端縁から巾方向中央へ移動させるものとした付加案内体を装着したことを特徴とする球状作物調製機。
【請求項２】
順次に投入される球状作物からその茎葉部先側部分及び又はヒゲ根を切り離すように調製処理し、続いてその球状部を重力作用により排出シュータの受入部、排出経路択一機構個所及び、排出経路択一機構で択一された排出筒部をこの順に通過させて機体下部の左右各側のうち前記排出経路択一機構で任意に選択された一側へ排出させるものとなされた球状作物調製機において、前記排出シュータから前記排出経路切換機構を取り外して前記排出シュータの内方に付加案内体を装着し、該付加案内体は、前記受入部にこれの前側から後方へ向けて供給された前記球状部を機体左右側のうちの特定の一側に排出させるための特定の一つの排出筒部へ案内する起立案内面部と、前記受入部から該排出筒部の途中まで前記球状部を支持して案内する傾斜案内面部とを具備するほか、該傾斜案内面部が前記特定の一つの排出筒部の底面に沿わせられて位置され且つ該底面の後端縁から或いは該底面の前後各端縁から該底面の巾方向中央へ向けて漸次に降下される曲がり面を有するものとなされていることを特徴とする球状作物調製機。
【請求項３】
順次に投入される球状作物からその茎葉部先側部分及び又はヒゲ根を切り離すように調製処理し、続いてその球状部を排出シュータを通じて重力作用により機体左右の任意な一側へ排出するものとなされ、前記排出シュータは前方から前記球状部を供給される受入部の左右各側部からこれの内方空間と連通された状態で斜め下方へ延出された一対の排出筒部を備えるほか、前記受入部内の前記球状部を任意に選択した何れか一方の排出筒部内へ向けて排出させるための排出経路択一機構を備えたものとなされた球状作物調製機において、前記排出経路択一機構を取り外すと共に、前記受入部内に位置した前記球状部が特定側の前記排出筒部内へ移動するのを規制する起立案内面部と、前記受入部内の球状部が前記特定側とは逆の側の前記排出筒部内へ移動するのを助長する傾斜案内面部とを具備した付加案内体を前記排出シュータの内方に脱着可能に設け、前記傾斜案内面部が前記逆の側の前記排出筒部の底面に沿わせられて位置され且つ該底面の後端縁から或いは該底面の前後各端縁から該底面の巾方向中央へ向けて漸次に降下される曲がり面を有するものとなされていることを特徴とする球状作物調製機。
【請求項４】
順次に投入される球状作物からその茎葉部先側部分及び又はヒゲ根を切り離すように調製処理し、続いてその球状部を重力作用により排出シュータを通じて機外へ排出する球状作物調製機において、前記排出シュータを前記球状部の受入部と、これの内方空間と連通されていて受入部内の前記球状部を機体一側の斜め下方へ排出させるものとした排出筒部とで形成すると共に、該排出筒部の底面の断面形状を巾方向中央の低くなされた弧状となしたことを特徴とする球状作物調製機。
【請求項５】
前記排出シュータから排出される前記球状部が落下するように位置されたコンテナを支持するコンテナ支持部が、機体側部に起立状に固定されて前記コンテナの機体側の側面部を受けめるものとした側面支持枠と、該側面支持枠に雌雄嵌合手段を介して係着され且つ直接に人為力を付与されるのみで脱着され且つ前記コンテナの底面部を支持するものとした底面支持枠とで形成されていることを特徴とする請求項１〜４の何れかに記載の球状作物調製機。
【請求項６】
起立姿勢状態となされた前記底面支持枠が、前記側面支持枠から取り外された該底面支持枠に直接に人為力を付与するのみにより、前記側面支持枠に添わせられた状態で脱着可能に係着される構成を特徴とする請求項５記載の球状作物調製機。
【請求項７】
前記側面支持枠が前記排出筒部の下端部に揺動変位可能且つ脱着可能に装着された延長排出樋の揺動変位時に該延長排出樋と干渉しないように装設されると共に、該延長排出樋が起立姿勢状態となされて格納されたとき、前記底面支持枠が起立姿勢状態となされて前記側面支持枠に添わせられた状態で係着される構成を特徴とする請求項６記載の球状作物調製機。
【請求項８】
前後方向巾の一側端から或いは各側端から前後方向巾中央へ向けて漸次に低くなる断面形状を有し左右方向へ傾斜されている傾斜案内面部と、該傾斜案内面部の上端の左右方向巾の略全範囲に起立状に位置されていて後方へ向かうに伴って該傾斜案内面部の下端部の存在する側の左右方向へ漸次に変位するような案内面となされている起立案内面部とを備えたことを特徴とする球状作物調製機の排出シュータの内方に装着される付加案内体。
【発明の詳細な説明】
【０００１】
【発明の属する技術分野】
本発明は、玉葱などの球状作物の茎葉部先側部分及び又はヒゲ根を切り離すものとなされた球状作物調製機及び、これに装着される付加案内体に関する。
【０００２】
【従来の技術】
順次に投入される球状作物からその茎葉部先側部分及び又はヒゲ根を切り離すように調製処理し、続いてその球状部を排出シュータを通じて機体左右の任意な一側へ排出するように作動するものとなされ、前記排出シュータが前方から前記球状部を供給される受入部の左右各側部からこれの内方空間と連通された状態で斜め下方へ延出された一対の排出筒部を備えるほか前記受入部内の前記球状部を任意に選択した何れか一方の排出筒部内へ向けて排出させるための排出経路択一機構を備えたものとなされた球状作物調製機は知られている（例えば、特許文献１及び２など参照）。
【０００３】
【特許文献１】
特開２００２−１７１９５２号公報
【特許文献２】
特開２００２−１７２５８８号公報
【０００４】
【発明が解決しようとする課題】
上記した従来の球状作物調製機では、調製処理された後の球状部が排出シュータの受入部内に送り込まれるが、このとき、球状部と一緒にこれに付着した土砂、ヒゲ根及び表皮片も受入部内に投入されるようになり、このように投入された土砂やヒゲ根などは排出シュータの排出筒部の内方の底面上の隅角個所（特に巾方向の後端縁近傍）に付着状に堆積するものとなり、使用時間に経過により、これが漸次に成長して該排出筒部内での球状部の落下に対して障害をなし、排出シュータによる特定個所への球状部の排出が円滑に行われないようになることがある。
【０００５】
また従来では排出シュータの左右一対の排出筒部の任意な何れか一つを使用することにより、受入部に送り込まれた球状部を機体の任意な一側に落下させるようにしていたが、玉葱の生産地によっては、このようなことは必要なく、受入部に送り込まれた球状部を機体の左右側のうち特定の一側にのみへ落下させることで足りると考えられている。
本発明は斯かる問題点や実情に合理的に対応することのできる球状作物調製機や、該調製機に装着される付加案内体を提供することを目的とするものである。
【０００６】
【課題を解決するための手段】
上記目的を達成するため、第一の発明に係る球状作物調製機は、次のようなものとなしてある。
即ち、第一の発明は、請求項１に記載したように、順次に投入される球状作物からその茎葉部先側部分及び又はヒゲ根を切り離すように調製処理し、続いてその球状部を重力作用により排出シュータの受入部、排出経路択一機構個所及び、排出経路択一機構で択一された排出筒部をこの順に通過させて機体下部の左右各側のうち前記排出経路択一機構で任意に選択された一側へ排出させるものとなされた球状作物調製機において、前記排出シュータから前記排出経路切換機構を取り外すと共に、前記排出シュータの内方に、前記受入部内に前方から落下した前記球状部を特定の一側の排出筒部内へ移動させ続いて該排出筒部内の底面の後端縁から或いは前後各端縁から巾方向中央へ移動させるものとした付加案内体を装着したものである。
【０００７】
この発明では、前記受入部に受け入れた球状部は付加案内体を経て前記排出筒部の底面に案内されて該底面上を転んだり滑ったりしながら機体左右の特定の一側の機外へ排出される。この際、前記付加案内体の作用により、前記球状部はたとえ前記排出筒部の底面の巾方向の端部上に一時的に位置されても巾方向の端部から巾方向中央へ移動されつつ降下して排出され、また土砂やヒゲ根などもたとえ該底面の巾方向の端部上に一時的に位置されても巾方向の後端縁から或いは前後各端縁から巾中央個所へ前記球状部の降下移動に伴う送り作用により移動されつつ降下されて排出されるようになり、したがって土砂などは前記排出筒部の底面上に堆積し難くなる。また前記排出筒部は前記受入部に受け入れた球状部を機体左右の任意な一側ではなくて予め定めれた一側にのみ排出するものとなる。
【０００８】
第二の発明は、請求項２に記載したように、順次に投入される球状作物からその茎葉部先側部分及び又はヒゲ根を切り離すように調製処理し、続いてその球状部を重力作用により排出シュータの受入部、排出経路択一機構個所及び、排出経路択一機構で択一された排出筒部をこの順に通過させて機体下部の左右各側のうち前記排出経路択一機構で任意に選択された一側へ排出させるものとなされた球状作物調製機において、前記排出シュータから前記排出経路切換機構を取り外して前記排出シュータの内方に付加案内体を装着し、該付加案内体は、前記受入部にこれの前側から後方へ向けて供給された前記球状部を機体左右側のうちの特定の一側に排出させるための特定の一つの排出筒部へ案内する起立案内面部と、前記受入部から該排出筒部の途中まで前記球状部を支持して案内する傾斜案内面部とを具備するほか、該傾斜案内面部が前記特定の一つの排出筒部の底面に沿わせられて位置され且つ該底面の後端縁から或いは該底面の前後各端縁から該底面の巾方向中央へ向けて漸次に降下される曲がり面を有するものとなされているものである。
【０００９】
この発明では、前記排出シュータが機体の左右各側のうちの任意に選択された一側に前記球状部を落下させるものとなされていて断面四角形の前記排出筒部を具備するものとなされていても、該排出シュータの内方に簡易な構造の前記付加案内体を装着することにより、前記受入部内に前方から落下した前記球状部は機体の左右各側のうち前記付加案内体の形状によって定まる特定の一側に排出されるものとなり、この際、前記排出筒部の底面は前記傾斜案内面部の曲がり面の存在により巾方向中央が低くなるため、前記球状部がたとえ該底面の巾方向の後端縁近傍に一時的に位置されても前記底面の巾方向の後端縁から或いは前後各端縁からその巾方向中央へ重力作用により移動されつつ降下されて排出されるのであり、また土砂やヒゲ根などもたとえ該底面の巾方向の後端縁近傍に一時的に位置されても該底面の巾方向中央へこれらに作用する重力作用や、前記球状部の降下移動に伴う送り作用により移動されつつ降下し排出され該底面上に堆積し難くなる。
【００１０】
また前記排出筒部の底面は、前記球状部がたとえ該底面の巾方向の前後各端縁の近傍に一時的に位置されても前記底面の巾方向の後端縁から或いは前後各端縁からその巾方向中央へ重力作用により移動されつつ降下されて排出されるのであり、また土砂やヒゲ根などもたとえ該底面の巾方向の後端縁の近傍或いは前後各端縁の近傍に一時的に位置されても該底面の巾方向中央へこれらに作用する重力作用や、前記球状部の降下移動に伴う送り作用により移動されつつ降下し排出され、該底面上に堆積し難くなる。
【００１１】
また第三の発明は、請求項３に記載したように、順次に投入される球状作物からその茎葉部先側部分及び又はヒゲ根を切り離すように調製処理し、続いてその球状部を排出シュータを通じて重力作用により機体左右の任意な一側へ排出するものとなされ、前記排出シュータは前方から前記球状部を供給される受入部の左右各側部からこれの内方空間と連通された状態で斜め下方へ延出された一対の排出筒部を備えるほか、前記受入部内の前記球状部を任意に選択した何れか一方の排出筒部内へ向けて排出させるための排出経路択一機構を備えたものとなされた球状作物調製機において、前記排出経路択一機構を取り外すと共に、前記受入部内に位置した前記球状部が特定側の前記排出筒部内へ移動するのを規制する起立案内面部と、前記受入部内の球状部が前記特定側とは逆の側の前記排出筒部内へ移動するのを助長する傾斜案内面部とを具備した付加案内体を前記排出シュータの内方に脱着可能に設け、前記傾斜案内面部が前記逆の側の前記排出筒部の底面に沿わせられて位置され且つ該底面の後端縁から或いは該底面の前後各端縁から該底面の巾方向中央へ向けて漸次に降下される曲がり面を有するものとなされているものである。
【００１２】
この発明では、前記球状部を前記排出シュータを通じて機体左右の任意な一側へ排出するように作動するものとなされており、また前記排出シュータが前方から前記球状部を落下される前記受入部の左右各側部からこれの内方空間と連通された状態で斜め下方へ延出された一対の排出筒部を備えるほか前記受入部内の前記球状部を任意に選択した何れか一方の排出筒部内へ向けて排出させるための排出経路択一機構を備えたものとなされた球状作物調製機において、先の請求項２記載の発明の作用と同様の作用が得られるのである。
【００１３】
第四の発明は、請求項４に記載したように、順次に投入される球状作物からその茎葉部先側部分及び又はヒゲ根を切り離すように調製処理し、続いてその球状部を重力作用により排出シュータを通じて機外へ排出する球状作物調製機において、前記排出シュータを前記球状部の受入部と、これの内方空間と連通されていて受入部内の前記球状部を機体一側の斜め下方へ転落させるものとした排出筒部とで形成すると共に、該排出筒部の底面の断面形状を巾方向中央の低くなされた弧状となした構成である。
【００１４】
この発明では、前記受入部に受け入れた前記球状部は前記排出筒部の底面に案内されて該底面上を転んだり滑ったりしながら機体一側の機外へ排出される。この際、前記排出筒部の底面は巾方向中央の低くなされた円弧状となされているため、前記球状部はたとえ該底面の巾方向の前後各端縁に一時的に位置されても巾方向の端部から巾中央へ重力作用により移動されつつ降下し排出されるのであり、また土砂やヒゲ根などもたとえ該底面の巾方向の端部に一時的に位置されても巾方向の前後各端縁から巾方向中央へこれらに作用する重力作用や、前記球状部の降下移動に伴う送り作用により移動されて排出され、該底面上に堆積し難くなる。また前記排出筒部は前記受入部に受け入れた前記球状部を機体の一側にのみ排出するものであり、その構造は比較的簡易且つ安価なものとなる。
【００１５】
上記した各発明は次のように具体化するのがよい。
即ち、請求項５に記載したように、前記排出シュータから排出される前記球状部が落下するように位置されたコンテナを支持するコンテナ支持部が、機体側部に起立状に固定されて前記コンテナの機体側の側面部を受けめるものとした側面支持枠と、該側面支持枠に雌雄嵌合手段を介して係着され且つ直接に人為力を付与されるのみで脱着され且つ前記コンテナの底面部を支持するものとした底面支持枠とで形成されている構成となす。
これによれば、前記側面支持枠及び前記底面支持枠がコンテナを安定的に支持するものとなり、また前記底面支持枠の不使用時には前記底面支持枠が簡便に機体から取り外されて前記底面支持枠と他物の衝突とが回避されて使い勝手のよいものとなる。
【００１６】
さらに好ましくは、請求項６に記載したように、起立姿勢状態となされた前記底面支持枠が、前記側面支持枠から取り外された該底面支持枠に直接に人為力を付与するのみにより、前記側面支持枠に添わせられた状態で脱着可能に係着される構成となす。これによれば、機体から取り外された前記底面支持枠が簡便に前記側面支持枠に添わせられた状態で該側面支持枠に支持されるものとなり、このようにすれば前記底面支持枠が機体から大きく張り出すものとならず他物との衝突を防止される。また前記底面支持枠の使用時には簡便に機体に略水平状に係着されるものとなり、使い勝手のよいものとなる。
【００１７】
また請求項７に記載したように、前記側面支持枠が前記排出筒部の下端部に揺動変位可能且つ脱着可能に装着された延長排出樋の揺動変位時に該延長排出樋と干渉しないように装設されると共に、該延長排出樋が起立姿勢状態となされて格納されたとき、前記底面支持枠が起立姿勢状態となされて前記側面支持枠に添わせられた状態で係着される構成となす。
【００１８】
これによれば、前記延長排出樋が前記傾斜排出樋部をさらに先方へ延長する状態となされたとき、前記排出筒部から排出される前記球状部はさらに前記延長排出樋に案内されて機体からかなり離れた位置、例えば機体の走行している畦の隣の畦上に落下させることができるものとなる。該延長排出樋の揺動時や使用時に、機体に装着された状態の前記底面支持枠が該延長排出樋と干渉して障害をなすことあるが、前記底面支持枠は機体から取り外されることにより何らの障害をも生じさせないのであり、しかも前記底面支持枠は簡便に脱着されて使い勝手のよいものとなる。
【００１９】
上記した付加案内体は、一体構造体として作成するのが排出シュータに装着する上で便利であり、この際は、請求項８に記載したように、前後方向巾の一側端から或いは各側端から前後方向の巾中央へ向けて漸次に低くなる断面形状を有し左右方向へ傾斜されている傾斜案内面部と、該傾斜案内面部の上端の左右方向巾の略全範囲に起立状に位置されていて後方へ向かうに伴って該傾斜案内面部の下端部の存在する側の左右方向へ漸次に変位するような案内面となされている起立案内面部とを備えた構成となす。
【００２０】
【発明の実施の形態】
本発明の実施の形態について図面を参照して説明する。図１は玉葱用として構成された球状作物調製機の側面図、図２は調製装置の側面断面図、図３は調製装置における球状作物搬送手段の平面断面図、図４は調製装置の後部の平面視概略図、図５は調製装置の前部を示す平面図、図６は調製装置の前部を拡大した側面図、図７は図６のイ部分の平面拡大図、図８は調製装置の駆動系の側面図、図９は同じく調製装置の駆動系の後面図、図１０は調製装置の後部に配設された排出シュータの背面図、図１１は球状作物調製機を斜め後方から見た図、図１２は排出シュータの斜視図、図１３は付加案内体を後上方から見た斜視図、図１４は付加案内体を前上方から見た斜視図、図１５はコンテナ支持部周辺の斜視図、図１６は球状作物調製機を前方から見た図、図１７はコンテナ支持部周辺を側面から見た図、図１８はコンテナ支持部の後側部分を見た斜視図、図１９はコンテナ支持部の長さ途中を左右方向で切断した状態を示す断面図、図２０は球状作物調製機の使用状態を示す斜視図、図２１は球状作物調製機の変形例を示す正面図である。
【００２１】
図１及び図２に示すように、本発明に係る球状作物調製機は、走行装置Ａによって走行する自走車の車体Ｂに調製装置（機体本体部）Ｃを載装して自走形に構成される。そして、クロ−ラ型に構成した走行装置Ａを車体Ｂの後部に搭載した原動機１と連動連結された走行伝動装置２で駆動し、運転操作を車体Ｂから後延する操縦ハンドル３からなる運転部において行う歩行型の自走車となされており、その自走車の車体Ｂに載装した調製装置Ｃの各可動部を、前記原動機１に連動連結された作業部伝動装置４により駆動するように構成している。
【００２２】
自走車に載装する調製装置Ｃは、前部に配置される被処理物供給部Ｃ１と、後部に配置される処理装置部Ｃ２を主要素として構成され、被処理物供給部Ｃ１と処理装置部Ｃ２がそれぞれカバ−５によって覆われて、被処理物供給部Ｃ１の天板５ａの高さが処理装置部Ｃ２の天板５ｂの高さより低く形成され、被処理物供給部Ｃ１の天板５ａの左右方向中央部分に進行方向に平行する通路溝が開設されている。
【００２３】
そして、前記天板５ａより下方の被処理物供給部Ｃ１の室内に球状部支持搬送機構６と茎引きベルト機構７とからなる第１搬送装置８が配設され、この第１搬送装置８の搬送通路が被処理物供給部Ｃ１の天板５ａに開設されている前記通路溝に対応位置され、また、第１搬送装置８の後部が処理装置部Ｃ２の室内に延出されて、その延出部分の上方に第２搬送装置９として左右一対の挟持ベルト機構からなる挟持搬送装置が設けられ、これらの第１搬送装置８と第２搬送装置９とで球状作物搬送手段が構成されて、第１搬送装置８により後送される球状作物（以下、玉葱という）を第２搬送装置９に受継ぎ挟持し、第２搬送装置９の後方位に組成される排出部に向けて搬送するようになっている。
【００２４】
また、第１搬送装置８の搬送中途部下方には、玉葱の茎葉の一定長さ以上の先端部分を予め荒切りするための第１切断装置Ｅが配設されるとともに、第２搬送装置９の搬送中途部上方に玉葱のヒゲ根を切断する第２切断装置Ｆが、また、第２搬送装置９の搬送中途部下方に荒切り後の残茎部を切断する第３切断装置Ｇが配設され、これらの第１〜第３切断装置によって搬送途上の玉葱から茎葉やヒゲ根を切除するようになっている。
【００２５】
図２、図３及び図５に示すように、第１搬送装置８を構成する球状部支持搬送機構６は、左右の丸ベルト駆動プ−リ１０、１０と前方従動プ−リ１１、１１及び後方従動プ−リ１２、１２に左右の丸ベルト１４、１４をそれぞれ巻装して、左右の丸ベルト１４、１４の対面部間に玉葱の球状部を保持する搬送通路を形成するが、左右の丸ベルト駆動プ−リ１０、１０は、作業部伝動装置４中の左右の伝動ケ−ス１５、１５（図４参照）に立設される搬送駆動軸１６、１６に設けられ、また機体本体部Ｃの前側には被処理物供給部Ｃ１前端に配置された左右向きの回動支点軸１７、１７を中心にして上下揺動可能となされた前方張出部Ｃ３が設けられてあって、従動プ−リ１１、１１と後方従動プ−リ１２、１２は、回動支点軸１７、１７回りへ回動される前方張出部Ｃ３の一部をなす左右の前延フレ−ム１８、１８の前部と後部に配設されている。
【００２６】
したがって、前延フレ−ム１８、１８を回動支点軸１７、１７中心で上下方向に回動し、被処理物供給部Ｃ１の機枠との間に介装する支持ステ−１９を伸縮調節して任意の位置で固定することによって、被処理物供給部Ｃ１の前端部から前方に向けて延出する球状部支持搬送機構６の前方巻回部分６ａの上下傾斜姿勢を変更調節することができ、また、球状部支持搬送機構６の前方巻回部分６ａを仮想線ａで示しているように上方へ揺動された状態に折曲して格納することができる。
【００２７】
なお、回動支点軸１７、１７の左右の軸端部には図６及び図７に示すようにガイドロ−ラ２０、２０が設けられ、これらのガイドロ−ラ２０、２０が、後方従動プ−リ１２、１２の後方位において丸ベルト１４、１４を下側から支えるようにされている。
【００２８】
また、前方従動プ−リ１１、１１を支承する支持軸の下方延長部分には前方Ｖプ−リ２２、２２が、後方従動プ−リ１２、１２を支承する支持軸の下方延長位置の後方位の支持軸２３ａには後方Ｖプ−リ２３がそれぞれ取付けられ、前後のＶプ−リ２２、２３に、軟弾性材からなる左右一対の挟持ベルト２４、２４が巻回されて挟持搬送機構２５が構成され、上記球状部支持搬送機構６に球状部ｔ３が保持された玉葱の茎葉部ｔ１を、挟持搬送機構２５でもって挟持して後送するように構成されている。
【００２９】
また挟持搬送機構２５の下側において前方従動プ−リ１１、１１を支持する回転軸には掻き込み用の左右一対のスタ−ホイル２６、２６が嵌着されると共に、挟持搬送機構２５の下側において後方従動プ−リ１２、１２を支持する回転軸には送り出し用のスタ−ホイル２７、２７が嵌着され、それぞれのスタ−ホイル２６、２６、２７、２７は弾性材からなる多数の突起を有している。また、左右の前延フレ−ム１８、１８の前後二個所の間は、正面視で上下逆Ｕ字状を呈する連結体２８、２８によって、玉葱の移行に支障がないように連結されている。
さらに前方張出部Ｃ３の先端からは作物支持滑り供給手段Ｃ４が前方へ張り出されており、該作物支持滑り供給手段Ｃ４は底面を球状部の直径よりも小さい距離だけ離間された左右一対の平行な細幅状傾斜滑り面部を有し、これら細幅状傾斜滑り面部の間に前方から倒立姿勢の球状作物の球状部ｔ３と茎葉部ｔ１の境目部分（首部）を挿入されて直状に配列された球状作物をこれら細幅状傾斜滑り面部により同時に支持し重力作用により後下方へ滑り変位させるものとなされている。
【００３０】
一方、図２、図３及び図４に示すように、第１搬送装置８を構成する茎引きベルト機構７は、左右の伝動ケース１５、１５に立設される縦向き回転中心軸４８、４８に固定される左右の茎引き駆動プ−リ２９、２９と、この駆動プ−リ２９、２９から適宜前方において球状部支持搬送機構６の下側に配設される左右の茎引き従動プ−リ３０、３０とに挟持Ｖベルト３１、３１を巻回して構成されて、球状部支持搬送機構６に対する上下方向間隔が後方になるに従って拡がるように前高後低に配設されており、又、挟持Ｖベルト３１、３１の挟持作用部分はスポンジなどの軟弾性材で形成されて左右の挟持Ｖベルト３１、３１の対向面間に挟持する玉葱の茎葉部ｔ１を切損することがないように配慮されている。
【００３１】
また、左右の茎引き従動プ−リ３０、３０を嵌着した回転軸３２、３２は下方に延長され、その延長部分に左右一対のデイスク刃３３、３３が取付けられて前出の第１切断装置Ｅが構成されており、デイスク刃３３、３３は回転軸３２、３２に沿って上下方向に移動調節し、その調節によって玉葱の茎葉先端部分を予め切除する長さ（荒切り長さ）を適宜に変更できるようにされている。
【００３２】
また、茎引き従動プ−リ３０、３０及びデイスク刃３３、３３を嵌着する左右の回転軸３２、３２は、挟持搬送機構２５の後端部から少し後方に離間した部位に位置し、茎引きベルト機構７の前端部と挟持搬送機構２５の後端部との間の空間部に左右一対のスタ−ホイル３４、３４が配置されて、このスタ−ホイル３４、３４によって、挟持搬送機構２５の搬送後端から茎引きベルト機構７の搬送始端部に玉葱の茎葉部ｔ１を受け渡すようになされている。
【００３３】
前記左右のスタ−ホイル３４、３４は、球状部支持搬送機構６の左右の丸ベルト１４、１４によって回転駆動される垂下軸３５、３５に装着され、その装着部から放射方向に突出する弾性体の突起を有している。そして、各々のスタ−ホイル３４、３４の回転軌跡が前方側においては挟持搬送機構２５の終端側のスタ−ホイル２７、２７の回転軌跡内に一部入り込み、また後方側においては茎引きベルト機構７及び第１切断装置Ｅの間で両者３４、Ｅの回転圏内に入り込んで回転するようになされている。
【００３４】
前記球状部支持搬送機構６の後部上方に配設される第２搬送手段９は、処理装置部Ｃ１の機枠に設けた左右の支持台（図示省略）の後部に位置する第２搬送駆動プ−リ３６、３６と、前部に位置する第２搬送従動プ−リ３７、３７と、両プ−リ３６、３７の間に配設されるアイドルプ−リ群とに左右の挟持ベルト３８、３８を巻回して両挟持ベルト３８、３８の対面部間に挟持搬送路を形成し、第２搬送駆動プ−リ３６、３６の支軸３９、３９を伝動機構４０、４０によって前出の搬送駆動軸１６、１６及び縦向き回転中心軸４８、４８に連動させて回転駆動するように構成されている。
【００３５】
なお、左右の挟持ベルト３８、３８の巻回外周部分はゴムや発泡性の合成樹脂などの弾性材で形成されていて、その巻回外周部分には断面形状が略「く」字状の抱持面が形設され、前述の挟持搬送路側で向い合う左右の抱持面の間に、第１搬送装置８によって後送されてくる玉葱の球状部ｔ３を受け継ぎ抱持して後方に搬送するようになっている。
【００３６】
しかして、前記搬送駆動軸１６、１６及び縦向き回転中心軸４８、４８は、図８及び図９にも示すように、左右の伝動ケ−ス１５、１５の内部に収容構成されるギヤ伝動機構４１、４１に連動連結され、各々のギヤ伝動機構４１、４１の入力軸４２、４２は、伝動ケ−ス１５、１５から下方にそれぞれ延出されて、処理装置部Ｃ１の室内下部に位置するケ−シング４３に横設された動力分配軸４４に自在継手４５及びベベルギヤ機構４６を介して連動連結され、また、動力分配軸４４は、ベルト伝動機構１３によって前記原動機１の出力軸４７に動力断続自在に連動連結されている。
【００３７】
したがって、原動機１を始動してベルト伝動機構１３を伝動状態に接続操作すると、原動機出力軸４７からの動力により左右の搬送駆動軸１６、１６及び縦向き回転中心軸４８、４８が所定の方向に各々回転駆動され、左右の搬送駆動軸１６、１６の回転によって球状部支持搬送機構６の左右の丸ベルト１４、１４、挟持搬送機構２５の左右の挟持ベルト２４、２４、スタ−ホイル２６、２６、スタ−ホイル２７、２７及び左右の引継用のスタ−ホイル３４、３４が駆動されて、それぞれが対面側において前方から後方に回転される。また、左右の縦向き回転中心軸４８、４８の回転によって茎引きベルト機構７の左右の挟持ベルト３１、３１及び、第１切断装置Ｅの左右のデイスク刃３３、３３が前方から後方に対向回転され、また左右の搬送駆動軸１６、１６及び、左右の縦向き回転中心軸４８、４８の回転によって第２搬送装置９の左右の挟持ベルト３８、３８が前方から後方に対向回転される。
【００３８】
このような作動状態のもとで、図６にみられるように、玉葱をその茎葉部ｔ１が下になりヒゲ根ｔ２が上になる倒立姿勢にして、球状部ｔ３を球状部支持搬送機構６の上側に位置させながら前方張出部Ｃ３における第１搬送装置８前端である作物搬送開始個所ｐ１に供給すると、首部が球状部支持搬送機構６に保持されるとともに、茎葉部ｔ１が挟持搬送機構２５によって挟持されて両搬送機構６、２５の協働によって玉葱全体が後方に搬送される。
【００３９】
そして、球状部支持搬送機構６で球状部ｔ３を保持しての搬送が続けられる一方で、挟持搬送機構２５の終端部に達した茎葉部ｔ１はスタ−ホイル２７、２７によってスタ−ホイル３４、３４の搬送作用圏内に送られスタ−ホイル３４、３４の搬送作用により茎引きベルト機構７の搬送始端部に引継ぎ挟持される。
【００４０】
また、スタ−ホイル３４、３４で茎葉部ｔ１が搬送されている間に、その茎葉部ｔ１の一定長さ以上の先端部分が第１切断装置Ｅのディスク刃３３、３３によって荒切りされるが、この際には、スタ−ホイル３４、３４が茎葉部ｔ１を第１切断装置Ｅの切断作用圏に強制的に押し込むように働くので、たとえ、茎葉部ｔ１が枯れていても確実に切断される。そして、切り離された茎葉部ｔ１は被処理物供給部Ｃ１から抜け落ちて圃場に放出される。この際、この切り離された茎葉部ｔ１を機体左右方向へ搬送して機外の特定位置に放出させることも差し支えない。
【００４１】
なお、上記の場合に、第１切断装置Ｅのディスク刃３３、３３は、玉葱の葉が分かれる部分よりも少し球状部ｔ３側に寄った部位を切断するように位置設定して設け、また、スタ−ホイル３４、３４は、ディスク刃３３、３３の上側又は下側に近接させて配置するのが好ましく、そうすることによって枯れた茎葉部ｔ１をも、より確実良好に荒切りできて以降の作業を円滑に行わせることができる。
【００４２】
茎葉部ｔ１の先端部分を荒切りされた玉葱は、球状部ｔ３が球状部支持搬送機構６によって保持されながら、荒切り後の茎葉残部ｔ１が茎引きベルト機構７に挟持されて更に後送が続けられ、その間、茎葉残部ｔ１が茎引きベルト機構７により引下げられることによって適正な倒立姿勢に矯正されながら移行されて、第２搬送装置９に至ると、左右の挟持ベルト３８、３８の相対向する抱持面の間に球状部ｔ３が抱持されて後送される。
【００４３】
そして、第２搬送装置９に球状部ｔ３が抱持されて搬送されている間に、第３切断装置Ｇによって茎葉残部ｔ１が球状部ｔ３との境目部分で切断され、また、球状部ｔ３の上方のヒゲ根ｔ２が第２切断装置Ｆによってその根元部から切断されるのである。
【００４４】
茎葉残部ｔ１を切断する第３切断装置Ｇは次のように構成されている。即ち、図２、図３、図８及び図９に示すように、左右の伝動ケ−ス１５、１５の後部に位置する入力軸４２、４２と一体か又は入力軸４２、４２に連動連結された左右の縦向き回転中心軸４８、４８が、左右一対の伝動ケ−ス１５、１５から上方に延設されて、第２搬送装置９の下側近傍に位置する軸上端部にディスクカッタ−４９、４９がそれぞれ嵌着され、左右一対のディスクカッタ−４９、４９は、両者の外周縁部が搬送中心線上で一部上下に重なるように配置され、その重なり合い部分が前方から後方に向けて対向回転して玉葱の茎葉残部ｔ１を切断するようになっている。
【００４５】
また、玉葱のヒゲ根ｔ２を切断する第２切断装置Ｆは、処理装置部Ｃ２の前端部上方に設けられている支持枠５０に支承する根起し機構５１と根切断機構５２とからなり、根起し機構５１が第２搬送装置９の上側近傍の搬送上手側に、そしてその搬送下手側に根切断機構５２が配置されている。
【００４６】
第２切断装置Ｆの根起し機構５１は、支持枠５０に軸受支持する前後方向の回転軸に設けられた左右一対のブラシ５３、５３を備え、両ブラシ５３、５３が対面側において下方から上方に回転して、球状部ｔ３上方のヒゲ根ｔ２を下から上方に梳き上げて起立整姿させるようになっている。
【００４７】
また、第２切断装置Ｆの根切断機構５２は、支持枠５０に上下動自在に連設した平行四節リンク５４の後延端に取着したヘッド枠５５と、そのヘッド枠５５に設けた駆動ケ−スから突出する左右の駆動軸に固設する左右一対のディスク刃５６、５６と、ディスク刃５６、５６の前部上側及び後部上側に配設するゲ−ジ輪５７、５７とで構成されている。
【００４８】
そして、前記平行四節リンク５４と支持枠５０との間に上方への付勢バネ（図示省略）が介装され、前記ゲ−ジ輪５７、５７が球状部ｔ３の上部に当接した際にその当接荷重でヘッド枠５５を軽く円滑に上方に退動させて球状部ｔ３に対するディスク刃５６、５６の上下位置を自動的に調節しながら前記根起し機構５１が起立整姿したヒゲ根ｔ２を根元部から切断するようになっている。
【００４９】
なお、根起し機構５１における左右一対のブラシ５３、５３は、前出のケ−シング４３から前方に延設される水平回転軸５８に連動するベルト伝動機構５９によって各々所期の方向に回転駆動され、また、根切断機構５２の左右一対のディスク刃５６、５６は、前記ベルト伝動機構５９からドライブ軸６０を介してヘッド枠５５の駆動ケ−スに伝達される動力でもってそれぞれ所期の方向に回転駆動されるようになっている。
【００５０】
しかして、第３切断装置Ｇのディスクカッタ−４９、４９、伝動ケース１５、１５、ケーシング４３及び動力分配軸４４の後側でディスクカッタ−４９、４９及び伝動ケース１５、１５の下方には、ディスクカッタ−４９、４９によって切断された茎葉残部ｔ１と、第２切断装置Ｆにおける根切断機構５２の両ディスク刃５６、５６によって切断されたヒゲ根ｔ２のうちの一部を機外の特定位置に搬出するための排出コンベア６１が設けてある。図８に示すように、このコンベア６１は、ベルト伝動機構１３の中間プーリ１３ａからベベルギヤ機構１３ｂを介して連動される前向きの水平回転軸５８に嵌着したコンベア駆動プ−リ６２と、水平回転軸５８に平行する回転軸に取付けたコンベア従動プ−リ６３とにコンベアベルト６４を巻回して構成されている。
【００５１】
この際、前記コンベアベルト６４の外周には、図４に示すように同ベルト６４の回動方向とは交差する方向の複数の搬送突起６５を設けて、コンベアベルト６４上に落下する茎葉残部ｔ１などの落下物を搬送突起６５で係引して、排出コンベア６１の終端部から確実に運び出すようにするのが好ましく、また、コンベアベルト６４の前後両脇部と搬送始端側の脇部には、前側ガイド板６６、後側ガイド板６７、始端側ガイド板６８をそれぞれ仕切状に立設して、これらのガイド板により、切断された茎葉残部ｔ１などがコンベアベルト６４上に確実に落下するように誘導すると共にコンベアベルト６４上から逸脱しないようにするのが好ましい。
【００５２】
ディスクカッター４９、４９や排出コンベア６１周辺の構成について図２、図３、図８及び図９を参照してさらに詳細に説明すると、左右一対の伝動ケ−ス１５、１５は、平面視で排出コンベア６１の後方位から前方左右外向きに拡がって逆ハ字状を呈するように配設されている。
【００５３】
左右の伝動ケース１５、１５の相互間や左右の縦向き回転中心軸４８、４８の相互間にはディスクカッター４９、４９で切断されて落下する茎葉残部ｔ１が後方へ通過するための通路として使用される通路用空間ＴＫが設けられている。左右のディスクカッタ−４９、４９は両伝動ケ−ス１５、１５の後端部に配置され、両ディスクカッタ−４９、４９の重合部分の前部、すなわち切断作用位置が、両伝動ケ−ス１５、１５間の逆ハ字状空間の後部に位置され、また第２搬送手段９に対しては、両挟持ベルト３８、３８が形成する挟持搬送路の終端寄り部分に対応するように位置されている。
【００５４】
左右の伝動ケース１５、１５の下方にはケーシング４３や動力分配軸４４を覆うための略水平横向きのカバー部材１００が緩やかな後上がり状に設けてあり、またこのカバー部材１００の上側には前記通路用空間ＴＫに面した各伝動ケース１５部分を覆う左右一対のカバー部材１０１、１０１が設けてあり、これらカバー部材１０１、１０１はカバー部材１００の上面に前後向き起立状に固着されると共に前側部分を前方へ向かうに伴って相互間寸法が漸次大きくなるような平面視漏斗状に形成されている。
【００５５】
また、排出コンベア６１の前側脇に位置する前側ガイド板６６は、前記カバー部材１００の後部を下向き垂直状に屈曲して形成されコンベアベルト６４の前側に隣接して位置されており、また排出コンベア６１の後側脇に位置する後側ガイド板６７は、コンベアベルト６４の後側に隣接して立設されている。
【００５６】
上記したディスクカッター４９、４９や排出コンベア６１周辺での処理状況について説明すると、第２搬送装置９や茎引きベルト機構７によりディスクカッタ−４９、４９の切断作用位置に送られる玉葱の茎葉残部ｔ１はこれが多少嵩張っていても左右のカバー部材１０１、１０１の平面視漏斗状の前側部分に案内されてそれらカバー部材１０１、１０１の後部相互間に円滑に移動するものとなる。
【００５７】
そしてディスクカッタ−４９、４９で切断された茎葉残部ｔ１は、球状部ｔ３から分離される直前のディスクカッタ−４９、４９の回転力を受けて後方へ跳ね飛ばされる傾向となり、このように跳ね飛ばされた後は左右の縦向き回転中心軸４８、４８の相互間や、左右のカバー部材１０１、１０１の相互間を経て重力作用により落下しつつ円滑に後方へ移動し、この後は直接に或いは、後側ガイド板６７に衝突するなどして円滑にコンベアベルト６４上に落下するものとなり、次はコンベアベルト６４で機体横方へ搬送され、この搬送中には前側ガイド板６６と後側ガイド板６７によりコンベアベルト６４の前後側に脱落するのを阻止され、最終的に機体の特定位置から圃場へ的確に排出される。
【００５８】
一方、ディスク刃５６、５６で切断されたヒゲ根ｔ２は球状部ｔ３から分離される直前のディスク刃５６、５６の回転力を受けて後方へ跳ね飛ばされる傾向となり、このように跳ね飛ばされた後はその多くが伝動ケース１５、１５の存在箇所を経てコンベアベルト６４上に落下するものとなり、その他のものは略水平横向きのカバー部材１００の上面に落下したり、直接に圃場に落下するものとなる。
【００５９】
またカバー部材１００の上面にはヒゲ根ｔ２のほか茎葉部ｔ１の千切れ片や、玉葱に付着した土砂なども落下するのであり、これら落下物はカバー部材１００が前下がり状に傾斜しているため機体振動により前方へ案内移動され動力分配軸４４などの回転部に当たらないように落下される。
【００６０】
ディスクカッター４９、４９や排出コンベア６１周辺での処理状況は以上のとおりであり、こうして第２切断装置Ｆによりヒゲ根ｔ２が切断され第３切断装置Ｇにより茎葉残部ｔ１が切断された玉葱の球状部ｔ３は、第２搬送手段９の終端部で挟持を解かれるが、その部分の下方位には定められた角度で後低姿勢に傾斜する受樋６９が設けられて、該受樋６９の後端が、その後方位に隣接して配置されている排出シュータ７０の受口７０ａに対応位置され、第２搬送装置９の終端部で挟持を解かれた玉葱の球状部ｔ３とそれに付随して持ち運ばれる切断後のヒゲ根ｔ２は、受樋６９の前部に落下し、後低に傾斜する受樋６９に沿って移行して前記受口７０ａから排出シュータ７０内に落下され、受口７０ａの下方位から図１０に示す左右の排出筒部７０Ｌ、７０Ｒのいずれかに案内されてその外方端の送出口７０ｂから機外に送出されるようになっている。
【００６１】
図１０〜図１２にみられるように、排出シュータ７０は、左右方向の中央部位に位置する受入部７０Ａの下端部から左右に排出筒部７０Ｌ、７０Ｒを分岐させて形成され、左右排出筒部７０Ｌ、７０Ｒの分岐部下底壁７０ｂの上面側に排出経路を切り換える機構が形成されているのであって、即ち、前後方向の回動支点軸７５を中心にして左右揺動可能に枢支した排路切換板７６を設けている。
【００６２】
そして、排路切換板７６は、排出シュータ７０の外部において前記回動支点軸７５に連係される切換操作手段（図示省略）を操作することによって、左側の排出筒部７０Ｌを閉塞し右側の排出筒部７０Ｒを受入部７０Ａに連通させる左倒れ位置（図９の実線図示位置）と、右側の排出筒部７０Ｒを閉塞し左側の排出筒部７０Ｌを受入部７０Ａに連通させる右倒れ位置（図９の仮想線図示位置）とに択一的に切換維持できるようになされている。
【００６３】
さらに、回動支点軸７５への取付基部から適宜先端側に寄った排路切換板７６の中途部には、同切換板７６に対して自由回動できるように取付けられた補助板７７Ｌ、７７Ｒが設けられ、これらの補助板７７Ｌ、７７Ｒが、排路切換板７６の回動支点軸７５への取付基部を含む分岐部下底壁７０ｂの上側を山形状に覆って、排路切換板７６が左倒れ位置にある場合には、右側の補助板７７Ｒが排路切換板７６の傾斜角度より緩い傾斜角度で右側の排出筒部７０Ｒの下底部内面に連なり、また逆に、排路切換板７６が右倒れ位置にある場合には、左側の補助板７７Ｒが排路切換板７６の傾斜角度より緩い傾斜角度で左側の排出筒部７０Ｒの下底部内面に連なるようにしてある。なお、受樋６９からの玉葱の球状部ｔ３を受け入れる受口７０ａは、受入部７０Ａの前面側に開設されている。
【００６４】
排出シュータ７０の左右の排出筒部７０Ｌ、７０Ｒの送出口７０ｂから機外に送出された球状部ｔ３は例えば図１５及び図１６に示すように機体側部に装設された詳細を後述するコンテナ支持部８４に支持された上面開放型のコンテナＣＴに収容させるのである。
【００６５】
排出シュータ７０の左右の排出筒部７０Ｌ、７０Ｒの外端部に必要に応じて、樋状の延長排出樋７８、７８を折り畳み収納可能に装着し得る構造となしてある。この延長排出樋７８、７８はコンテナＣＴを使用しないで球状部ｔ３を圃場の地面上に直接に放出させるときに使用するもので、先寄り個所には門形部材７８ａ及び張出部材７８ｂを介して緩衝用ゴム垂れ７８ｃが設けてある。
【００６６】
次に本発明に係る特徴部分について説明する。
図１１及び図１２に示すように、排出シュータ７０の受入部７０Ａの内方及び一方の排出筒部７０Ｒの内方に付加案内体８０を固定させている。該付加案内体８０は傾斜案内面部８０Ａと起立案内面部８０Ｂとを主要部としており、それぞれは次のようになされている。
【００６７】
図１３及び図１４に示すように、傾斜案内面部８０Ａは受入部８０Ａの内方から排出筒部７０Ｒの長さ途中まで球状部ｔ３を支持して案内するもので、特定の一つの排出筒部７０Ｒの底面ｇに添わせられて位置され、該底面ｇの後端縁ｇ１から該底面ｇの巾中央へ向けて漸次に降下される曲がり面ｈ１と、該曲がり面ｈ１に連続され前後方向へ水平となされた平面ｈ２とを有し、一枚の板部材を屈曲して形成されたものとなされ、下端ｈ３は排出筒部７０Ｒの出口に出来るだけ近接させるのがよいが、排出筒部７０Ｒの底部ｇ長さの半分程度の個所に位置させても差し支えないものである。なお、前縁の長さ途中には固定片８０ａが下向きに突設されている。
【００６８】
そして起立案内面部８０Ｂは、受入部７０Ａ内に供給された球状部ｔ３を機体左右側のうちの特定の一側（図示例では右側）に排出させる特定の一つの排出筒部７０Ｒの内方へ案内するもので、傾斜案内面部８０Ｂの巾方向個所の全範囲に起立状に位置されていて後方へ向かうに伴って傾斜案内面部８０Ｂの下端部の存在する側の左右方向へ漸次に変位するような案内面ｉを備えたものとなされており、傾斜案内樋８０Ａの上端ｈ４の巾方向の全範囲から前後向き起立平板８１を固着すると共に、該前後向き起立平板８１の右側個所に後方へ向かうに伴って右側へ変位する傾斜起立平板８２を傾斜案内部８０Ａと前後向き起立平板８１との間に固着して形成されている。この際、傾斜起立平板８２は前後向き垂直面に対して凡そ３０度〜４５度程度に傾斜させるのがよい。
【００６９】
上記した付加案内板８０の装着は次のように行われる。
先ず、図１０において、排出シュータ７０の排出経路を切り換えるための機構を取り外すのであり、具体的には排出シュータ７０から回動支点軸７５を抜き取り、排出シュータ７０の内方から受口７０ａや送出口７０ｂを通じて排路切換板７６や補助板７７Ｌ、７７Ｒなどを外方へ取り出す。次に上記のように一体構造となされた付加案内体８０を右側の排出筒部７０Ｒの送出口７０ｂを通じて排出シュータ７０内の上端個所まで押し入れて位置決めし、この状態の下で、先に回動支点軸７５の挿通されていた排出シュータ７０前面壁の透孔に挿通させたボルト８３と固定片８０ａとを介して付加案内体８０の全体を締結固定させる。この際、図２に示す処理装置部Ｃ２のカバー５の一部を開放すると、排出コンベア６１の上方が、第三切断装置Ｇで切断された茎葉部ｔ１の落下スペースとなされて比較的大きい空間が存在するため、そのほかの部材を取り外さないでも、所要の作業が容易に行えるのである。
【００７０】
また機体の左右各側には図１１、図１５〜図２１に示すように、排出シュータ７０の左右の送出口７０ｂ、７０ｂから排出される球状部ｔ３を受け入れるように位置されたコンテナＣＴや、他のコンテナＣＴを支持するためのコンテナ支持部８４が左右対称状に設けられており、該コンテナ支持部８４は図１２に示すように、機体側部に起立状に固定されてコンテナＣＴの機体側の側面部ｊを受けめるものとした側面支持枠８４Ａと、該側面支持枠８４Ａに雌雄嵌合手段８５を介して係着され直接に人為力を付与されるのみで脱着されるものでコンテナＣＴの底面部を支持するものとした底面支持枠８４Ｂとを備えている。
【００７１】
側面支持枠８４Ａは図１１、図１５〜図１７、及び図１９に示すように、上下一対の比較的長い前後向き管部材８６ａ、８６ｂを４本の縦向き管部材８７ａ、８７ｂ、８７ｃ、８７ｄで結合すると共に、上側の前後向き管部材８６ｂの前後各端部に、自走車の車体Ｂと同体状に固着された支持部材ｎ１にボルト固定される固定片８８ａ、８８ｂを固着され、また下側の前後向き管部材８６ａの長さ方向略中央個所の周面上部に、走行装置Ａのトラックフレームと同体状に固着された支持部材ｎ２にボルト固定される固定片８８ｃを固着されると共に、下側の前後向き管部材８６ａの前後端部と長さ方向略中央個所に雌雄嵌合手段８５の一部をなす受部８５ａ、８５ｂ、８５ｃを形成したものとなされている。
【００７２】
この際、受部８５ａ、８５ｂは左右向きとなされた縦向き支持板部材８９ａ及び縦向き係止板部材８９ｂとからなり、縦向き支持板部材８９ａの上辺個所には支持用凹みｍ１が形成されている。そして縦向き支持板部材８９ａ及び縦向き係止板部材８９ｂの間には水平状の係止平板８９ｃが架設状に固着してあり、該係止平板８９ｃには位置調整用ボルト８９ｄが螺着されている。また受部８５ｃは左右向きとなされた縦向き支持板部材からなり、上辺個所には先の支持板部材８９ａと同様に支持用凹みｍ１が形成されている。
【００７３】
底面支持枠８４Ｂは図１１、図１５、図１７及び図１８に示すように、前後各側辺部９０ａ、９０ｂと前後向き中央辺部９０ｃとからなるコ字形管部材９０を形成して、前後一対の側辺部９０ａ、９０ｂの自由端寄り個所の間を前後向き管部材９１で結合すると共に、該前後向き管部材９１と前後向き中央辺部９０ｃとの間を２本の左右向き管部材９１ａ、９１ｂで結合し、また各側辺部９０ａ、９０ｂの前後向き中央辺部９０ｃ寄り個所にこれら側辺部９０ａ、９０ｂと平行な軸部材９２を固着して該軸部材９２に比較的短いアーム部材９３を軸部材９２回りの揺動自在に嵌着すると共に、該アーム部材９２の先部に側辺部９０ａ、９０ｂの自由端側へ向かう係入軸部材９４を固着したものとなされている。この際、前後の各側辺部９０ａ、９０ｂの自由端個所と、前後向き管部材９１の各端部とが前記雌雄嵌合手段８５の一部をなすものである。
【００７４】
次に本実施例に係る調製機の使用例及び各部の作用について説明する。
作業に先立って、側面支持枠８４Ａに底面支持枠８４Ｂを図１５に示す状態に支持させるのであり、これには、先ず底面支持枠８４Ｂを前後向き姿勢で機体側が低くなるように左右傾斜させた状態の下で水平コ字形管部材９０の各側辺部９０ａ、９０ｂの自由端個所を各受部８５ａ、８５ｃの縦向き支持板部材８９ａ及び縦向き係止板部材８９ｂの間で係止平板８９ｃの下側個所に挿し込むのであり、この挿し込み状態のまま前後向き管部材９１を受部８５ａ、８５ｃの縦向き支持板部材８９ａや受部８５ｂの支持用凹みｍ１に上方から嵌め込み、この後、底面支持枠８４Ｂを前後向き管部材９１回りの下方へ揺動させて略水平姿勢となす。
【００７５】
この際、底面支持枠８４Ｂは機体側が少し低くなるような左右傾斜状態となされるが、この左右傾斜状態の左右傾斜角度を変更調製するときは位置調整用ボルト８９ｄのねじ込み量を変化させるのであり、これにより該ボルト８９ｄはその下端で各側辺部９０ａ、９０ｂの自由端個所の押し下げ量を変化させるものとなり、この押し下げ量が大きくなったときは底面支持枠８４Ｂの左右傾斜角度は増大し、逆にそれが小さくなったときは底面支持枠８４Ｂの左右傾斜角度が減少する。
【００７６】
このように装着された底面支持枠８４Ｂの上面に図２０に示すようにコンテナＣＴを載せる。このとき底面支持枠８４Ｂの左右傾斜がコンテナＣＴの機体側の側面部ｊを重力作用により側面支持枠８４Ａに密接させるものとなってコンテナＣＴはその位置を正確に保持される。
【００７７】
次に、この状態となされた機体を畦の一端に走行移動させてその畦の他端へ向けて前進できる姿勢となすと共に、エンジン１から走行装置Ａへの動力伝達を遮断してエンジン１の作動状態下で一時的に機体の走行を停止させる。この際、前方張出部Ｃ３や作物支持滑り供給手段Ｃ４は図２０に示すような状態となす。
【００７８】
この状態の下で、作業者は畦上の玉葱の一つづつを拾い上げて作物支持滑り供給手段Ｃ４内へ順次に挿入する。この挿入は玉葱の球状部ｔ３を手で持って先ず倒立姿勢とし、次にその首部を作物支持滑り供給手段Ｃ４の下面をなす左右の細幅状傾斜滑り面部の間個所へ前方から押し入れるように行うのであり、このように挿入された玉葱は首部近傍の球状部ｔ３を左右の細幅状傾斜滑り面部に支持されて重力作用により倒立姿勢を保持しつつこれら左右の細幅状傾斜滑り面部上を前下方へ速やかに滑り移動する。
【００７９】
このように挿入された玉葱のうち、左右の細幅状傾斜滑り面部間の最下位置に位置したものは重力作用により動力や人為力を要することなく作物搬送開始個所ｐ１に到達するのであり、ここに到達した玉葱は球状部支持搬送機構６などの搬送手段により前方張出部Ｃ３の搬送経路を経て処理主要部をなす調製装置Ｃに搬送されてここで既述したようにその調製処理が実施される。
【００８０】
機体の前側近傍の畦上に存在した玉葱を全て拾い上げて作物支持滑り供給手段Ｃ４内へ供給した後は、機体の側部に設けられた走行伝動系のクラッチレバーＲを一時的に入り操作して機体を適当距離だけ前進させて再び停止させ、ここで先と同様に、機体の前側近傍に存在した玉葱を拾い上げて作物送り通路１０５内へ供給するようになすのであり、以後、同様な処理が繰り返される。
【００８１】
調製装置Ｃでヒゲ根ｔ２や茎葉部ｔ１を切断除去された後の球状部ｔ３は受樋６９に案内されて、受口７０ａを通じて受入部７０Ａの内方の後方へ向け落下する。このとき、第２切断装置Ｆで切断されたヒゲ根ｔ２、球状部ｔ３に付着した土砂、及び、球状部ｔ３の表皮などの一部が球状部ｔ３と一緒に受入部７０Ａ内に入り込むことは避けられない。そして、受入部７０Ａ内に後方へ向け落下した球状部ｔ３は付加案内体８０の起立案内面部８０Ｂを形成した傾斜起立平板８２の左右傾斜個所に衝突して右方へ向かう外力を付与されて右斜め後下方へ案内されるのであり、また起立案内面部８０Ｂは球状部ｔ３が左側の排出筒部７０Ｌ内へ落下するのを阻止するのである。
【００８２】
このように案内された球状部ｔ３は、重力作用により、傾斜案内面部８０Ａの曲がり面ｈ１個所に到達し、続いて右下方へ落下しつつ曲がり面ｈ１の案内作用により排出筒部７０Ｒの底面ｇの前縁側へ向け移動し、以後、底面ｇの後端縁に近づくことなく底面ｇ上を降下し、やがて送出口７０ｂから外方へ出てコンテナＣＴ内に落下する。このような球状部ｔ３の移動の一方で、受入部７０Ａ内に侵入した土砂、玉葱のヒゲ根ｔ２及び、玉葱の表皮なども球状部ｔ３と同様に、傾斜案内面部８０Ａの曲がり面ｈ１個所に到達し、続いて右下方へ落下しつつ曲がり面ｈ１の案内作用により排出筒部７０Ｒの底面ｇの前縁側へ向け移動し、以後、底面ｇの後端縁に近づくことなく底面ｇ上を降下するのであり、このとき、この土砂などの移動は球状部ｔ３に較べて停滞し易くて排出筒部７０Ｒの底面ｇに付着して滞積しがちであるが、球状部ｔ３の移動によってその降下移動を効果的に促進されるため、停滞することなく円滑に行われるものとなる。
【００８３】
玉葱の調整処理が終了して底面支持枠８４Ｂ上のコンテナＣＴが他所へ移動された後は、底面支持枠８４Ｂは側面支持枠８４Ａから離脱させるのであり、このときは底面支持枠８４Ｂを側面支持枠８４Ａに装着するときの逆の手順により行われる。そして、側面支持枠８４Ａから分離された状態の底面支持枠８４Ｂは前後向きの起立姿勢となして側面支持枠８４Ａに添わせた状態で持ち上げ、左右の係入軸部材９４、９４を側面支持枠８４Ａの左右の縦向き管部材８７ａ、８７ｄの上端部の内孔に上方から係入させるのであり、これにより図１１に示すように底面支持枠８４Ｂは側面支持枠８４Ａに密状に添わせられた状態となって安定的に支持される。この状態では機体の全巾が縮小化されて交通や格納に便利となる。
【００８４】
調整装置Ｃで調整処理された後の球状部ｔ３をコンテナＣＴに収容しないで、地上に直接に落下させたい場合があるが、このときは底面支持枠８４Ｂは側面支持枠８４Ａから取り外しておき、図１６に仮想線で示すように排出筒部７０Ｒに延長排出樋７８を装着して、排出筒部７０Ｒを直状に延長した状態となす。これにより、排出筒部７０Ｒの送出口から排出された球状部ｔ３などは延長排出樋７８に案内されて、例えば隣接した畦上に落下するものとなる。
【００８５】
上記実施例は次のように変形することができる。
即ち、図１０に示す排出シュータ７０の一方の排出筒部７０Ｒを切除したものとなし、残された排出筒部７０Ｒの底面ｇの全長範囲の断面形状を巾方向中央の低くなされた弧状となす。これによっても付加案内体８０と同様な作用が得られる。
【００８６】
また先の付加案内体８０では傾斜案内面部８０Ａは後端縁にのみ曲がり面ｈ１を具備したものとなしたが、これに代えて、その前端縁にも対称状に曲がり面ｈ１を形成することもできるのであり、このようにすれば、排出筒部７０Ｒ内を降下移動する球状部や土砂などはたとえ前後各端縁に一時的に位置しても重力作用によりその底面の巾方向中央に移動されつつ降下するものとなり、したがって排出筒部７０Ｒ内での土砂などの降下移動は一層、効果的に行われ、排出筒部７０Ｒ内での土砂などの堆積はさらに確実に防止されるものとなる。
【００８７】
【発明の効果】
上記した本発明によれば、次のような効果が得られる。
即ち、請求項１に記載のものによれば、受入部７０Ａ内に落下した土砂やヒゲ根ｔ２などが排出筒部７０Ｒ内に滞積するのを効果的に阻止することができて排出筒部７０Ｒ内での球状部ｔ３の落下を円滑になすことができると共に、調製処理された球状部ｔ３を機体の一側にのみ排出させることができ、また機体左右各側の何れにも球状部ｔ３を落下させ得るようにする仕様変更処理が容易に行えるものである。
【００８８】
請求項２に記載のものによれば、構造簡易且つ安価に、請求項１記載の効果を得ることができる。
【００８９】
請求項３に記載のものによれば、順次に投入される球状作物からその茎葉部ｔ１先側部分及び又はヒゲ根ｔ２を切り離すように調製処理し、続いてその球状部ｔ３を排出シュータ７０を通じて重力作用により機体左右の任意な一側へ排出するものとなされ、排出シュータ７０は前方から球状部ｔ３を供給される受入部７０Ａの左右各側部からこれの内方空間と連通された状態で斜め下方へ延出された一対の排出筒部７０Ｌ、７０Ｒを備えるほか、受入部７０Ａ内の球状部ｔ３を任意に選択した何れか一方の排出筒部内へ向けて排出させるための排出経路択一機構を備えたものとなされた球状作物調製機において、請求項２記載の発明と同様の効果を得ることができる。
【００９０】
請求項４に記載のものによれば、受入部７０Ａ内に落下した土砂やヒゲ根ｔ２などが排出筒部７０Ｒ内に滞積するのを効果的に阻止して排出筒部７０Ｒ内での球状部ｔ３の落下を円滑になすことができると共に、調製処理された球状部ｔ３を機体の一側にのみ排出させることができる。
【００９１】
請求項５に記載のものによれば側面支持枠８４Ａ及び底面支持枠８４ＢによりコンテナＣＴを正確な位置に安定的に支持させることができ、また底面支持枠８４Ｂの不使用時には底面支持枠８４Ｂを工具を使用しないで簡便に機体から取り外すことができるほか、底面支持枠８４Ｂと他物との衝突を回避させることができる。
【００９２】
請求項６に記載したものによれば、請求項５記載の効果のほか次のような効果が得られるのであって、即ち、機体から取り外された底面支持枠８４Ｂを側面支持枠８４Ａに添わせられた状態で簡便且つ安定的に側面支持枠８４Ａに支持させることができ、また底面支持枠８４Ｂが機体から大きく張り出すものとならないため、底面支持枠８４Ｂと他物との衝突の可能性を低減させることができる。また底面支持枠８４Ｂの使用時には工具を使用しないでも簡便に機体に略水平状に係着させることができて、使い勝手のよいものである。
【００９３】
請求項７に記載したものによれば、請求項６記載の効果のほか次のような効果が得られるのであって、即ち、排出筒部７０Ｒから排出される球状部ｔ３を延長排出樋７８により機体からかなり離れた位置、例えば機体の走行している畦の隣の畦上に落下させることができるのであり、また延長排出樋７８の揺動時や使用時に、機体に装着された状態の底面支持枠８４Ｂが延長排出樋７８と干渉して障害をなすようなときは、底面支持枠８４Ｂを工具を使用することなく機体から取り外してその障害を解消させることができ、使い勝手を良好となすことができる。
【００９４】
請求項８に記載したものによれば、付加案内体８０を使用した上記各発明の実現に寄与するほか、排出シュータ７０に対する付加案内体８０の脱着が便利に行えるものとなる。
【図面の簡単な説明】
【図１】玉葱用として構成された球状作物調製機の側面図である。
【図２】調製装置の側面断面図である。
【図３】調製装置における球状作物搬送手段の平面断面図である。
【図４】調製装置の後部の平面視概略図である。
【図５】調製装置の前部を示す平面図である。
【図６】調製装置の前部を拡大した側面図である。
【図７】図６のイ部分の平面拡大図である。
【図８】調製装置の駆動系の側面図である。
【図９】同じく調製装置の駆動系の後面図である。
【図１０】調製装置の後部に配設された排出シュータの背面図である。
【図１１】球状作物調製機を斜め後方から見た図である。
【図１２】排出シュータの斜視図である。
【図１３】付加案内体を後上方から見た斜視図である。
【図１４】付加案内体を前上方から見た斜視図である。
【図１５】コンテナ支持部周辺の斜視図である。
【図１６】球状作物調製機を前方から見た図である。
【図１７】コンテナ支持部周辺を側面から見た図である。
【図１８】コンテナ支持部の後側部分を見た斜視図である。
【図１９】コンテナ支持部の長さ途中を左右方向で切断した状態を示す断面図である。
【図２０】球状作物調製機の使用状態を示す斜視図である。
【図２１】球状作物調製機の変形例を示す正面図である。
【符号の説明】
７０  排出シュータ
７０Ａ  受入部
７０Ｌ  排出筒部
７０Ｒ  排出筒部
７８  延長排出樋
８０  付加案内体
８０Ａ  傾斜案内面部
８０Ｂ  起立案内面部
８４Ａ  側面支持枠
８４Ｂ  底面支持枠
８５  雌雄嵌合手段
ＣＴ  コンテナ
ｇ  底面
ｇ１  後端縁
ｈ１  曲がり面
ｉ  案内面
ｊ  側面部
ｔ３  球状作物
ｔ２  茎葉部
ｔ２  ヒゲ根
【図１】
2004322217.tif 000003
【図２】
2004322217.tif 000004
【図３】
2004322217.tif 000005
【図４】
2004322217.tif 000006
【図５】
2004322217.tif 000007
【図６】
2004322217.tif 000008
【図７】
2004322217.tif 000009
【図８】
2004322217.tif 000010
【図９】
2004322217.tif 000011
【図１０】
2004322217.tif 000012
【図１１】
2004322217.tif 000013
【図１２】
2004322217.tif 000014
【図１３】
2004322217.tif 000015
【図１４】
2004322217.tif 000016
【図１５】
2004322217.tif 000017
【図１６】
2004322217.tif 000018
【図１７】
2004322217.tif 000019
【図１８】
2004322217.tif 000020
【図１９】
2004322217.tif 000021
【図２０】
2004322217.tif 000022
【図２１】
2004322217.tif 000023